(57)【要約】【課題】レーベル面にレーザ光線を照射して文字画像等を描画する光ディスクにおいて、画像等のコントラスト高めるとディスク内の反射面からの反射光により眩惑効果が発生、レーベル面の目視が困難となる。【解決手段】  光ディスクのレーベル面最上層に設けられている透明層の表面に梨地加工を施すことにより、レーベル面の画像を目視した利用者に反射層からの光が直接入らないようにし、眩惑現象が起きないようにする。この構成により良好な目視が可能となる。【選択図】  図１
2006277856.tif 000002
【特許請求の範囲】
【請求項１】
反射層、レーベル画像形成層、および透明保護層を順に積層したレーベル面を有する光ディスクであって、
前記透明保護層の片面には前記反射面からの反射光に対して防眩効果を呈する梨地加工が施されていることを特徴とする光ディスク。
【請求項２】
請求項１記載の光ディスクであって、
前記梨地加工は前記透明保護層の表面に形成されており、
前記透明保護層の上に前記梨地加工の防眩効果を低減させる透明被覆層を設けたことを特徴とする光ディスク。
【請求項３】
請求項２記載の光ディスクであって、
前記透明被覆層は前記光ディスクから剥離可能に設けられていることを特徴とする光ディスク。
【発明の詳細な説明】
【技術分野】
【０００１】
本発明は、光ディスク記録媒体（以下「光ディスク」という）のレーベル面にデータの書き込み用のピックアップから出力されるレーザ光線を利用して画像を形成できる光ディスクにおいて、レーベル面に梨地加工を施すことにより、利用者がレーベル面を目視した時にレーベル面に描画された文字図柄等を見やすくした光ディスクに関するものである。
【背景技術】
【０００２】
画像を形成できる光ディスクの例が特開２００２−２０３３２１号公報に示されている。光ディスクは透明基板の片面に色素層（記録層）、反射層、可視光特性変化層、保護層が順次形成されている。透明な保護層を通して可視光特性変化層を視認することが可能である。可視光特性変化層は、保護層を通して所定のパワーのレーザ光を照射すると、照射された箇所の可視光特性が変化する材質の層である。
【０００３】
データの記録は、光ピックアップからの書き込みレーザを基板側から照射し色素層（記録層）を熱により変質させることにより行う。
【０００４】
光ディスクのレーベル面に文字図柄等を描画するには、光ディスクを書込装置のターンテーブルにセットする際、光ディスクのレーベル面をレーザ光線の照射側に向けてセット、即ち、通常のデータの記録時とは表裏逆にターンテーブルにセットし、光ピックアップからのレーザ光線を光ディスクの保護層を介して可視光特性変化層に照射する。レーザ光線は光ピックアップの対物レンズによって集中されることによりエネルギー密度が高まり、可視光特性変化層の温度が上昇する。この結果、レーザ光線が照射された箇所の可視光特性、例えば可視光の透過率が変化する。レーベル面の画像は可視光特性変化層の可視光特性の変化前と変化後のコントラストによって表現される。
【０００５】
レーザ光線により光ディスクのレーベル面に文字等を描画する文献には以下のものが存在する。
【特許文献１】特開２００２−２０３３２１号公報
【発明の開示】
【発明が解決しようとする課題】
【０００６】
光ディスクのレーベル面に設けられたれた可視光特性変化層にレーザ光線を照射し、可視光特性変化層を構成する物質の可視光特性を変化させ、文字図柄等を描画する光ディスクにおいて、鮮明なレーベル画像を形成するためには、レーザ光線を照射する前とレーザ光線を照射し可視光特性を変化させた後のコントラストの差を大きくすることが有効である。そのため、可視光特性変化層の材質として、レーザ光線の照射前は黒、照射後は透明となるものが選択される。
【０００７】
レーベル面に描かれた文字等を鮮明にするため、可視光特性変化層の材質としてレーザの照射により透明となる物質を選択すると、レーザ光線が照射され透明となった部分では、可視光特性変化層の下の反射層が利用者により直接目視されることになる。光ディスクの利用者がレーベルに描画された文字等を読む時、描画された部分の反射層を直視することになり、眩しさを感じ、強い反射光のため黒地の部分が見にくくなる、即ち眩惑効果が起こり、文字等の認識が困難になると言う新たな問題が発生する。
【０００８】
この問題を回避するため、反射膜の反射率を下げることが考えられる。しかし、反射率を下げると、レーベル画像の描画時にピックアップに対して行われる焦点位置の制御が困難になるという問題が発生する。
【課題を解決するための手段】
【０００９】
本発明は上記の問題を解決するためのものであり、反射層の反射率を下げることなく眩惑効果を抑止し、利用者がレーベル面に描画された文字図柄等の視認を容易にする光ディスクを提供するものである。
【発明を実施するための最良の形態】
【００１０】
本発明の第１の構成は、反射層、レーベル画像形成層、および透明保護層をこの順に積層したレーベル面を有する光ディスクにおいて、前記透明保護層の片面には前記反射面からの反射光に対して防眩効果を呈する梨地加工がほどこされていることを特徴とする。この構成により、防眩効果を呈し、形成されたレーベル画像を眩しくなく明瞭に見ることが可能となる。
【００１１】
本発明の第２の構成は、反射層、レーベル画像形成層、および透明保護層をこの順に積層したレーベル面を有する光ディスクにおいて、前記透明保護層の表面には前記反射面からの反射光に対して防眩効果を呈する梨地加工がほどこされており、さらに、前記透明保護層の上に前記梨地加工の防眩効果を低減させる透明皮膜層を設けたことを特徴としている。この構成により、防眩効果を得ると共に、梨地加工がレーベル画像書込のための焦点位置制御に悪影響を与えることの少ない光ディスクとすることが可能となる。
【００１２】
本発明の第３の構成は、反射層、レーベル画像形成層、および透明保護層をこの順に積層したレーベル面を有する光ディスクにおいて、前記透明保護層の表面には前記反射面からの反射光に対して防眩効果を呈する梨地加工がほどこされており、さらに、前記透明保護層の上に前記梨地加工の防眩効果を低減させる透明皮膜層を設け、前記透明皮膜層は前記透明保護層から剥がすことが可能な構成とされている。この構成により、レーベル画像を形成した後で透明皮膜層を剥がすことにより、前記本発明の第１の構成とすることが可能となり、大きな防眩効果が得られるものである。
【実施例１】
【００１３】
第１図には本発明の第１の実施の形態に係る光ディスクの断面図が示されている。１はＣＤ、ＤＶＤ、ＨＤ−ＤＶＤ等の光ディスクに相当する基板である。あるいは、従来の基板と色素層（記録層）に相当するものでもよい。２は反射板であり従来の光ディスクの反射層と兼用されてもよい。３はレーベル画像形成層であり、４は透明保護層である。
【００１４】
当該実施の態様では、光ディスクのレーベル面の最上部に設けられている透明保護層４の片面に微細な凹凸を形成した梨地加工６が施されている。レーベル面への文字画像等の描画は、透明保護層４の梨地加工面を介してレーザ光線をレーベル画像形成層３に照射して行う。レーザ光線が照射されることによりレーベル画像形成層３の可視光特性が変化し、その下側の反射層２で反射された強い白色光が利用者に目視されるようになる。この反射光が直接使用者の目に入ると利用者に眩惑効果が発生する。しかし、本実施の態様では、透明保護層４の表面が梨地加工されており、この梨地加工により上記の白色光は和らげられ、利用者に対して眩惑効果が発生しない、あるいは眩惑効果の発生が低減される。
【００１５】
梨地加工は透明保護層のいずれの面にも施すことが可能である。しかし、透明保護層の片面に梨地加工を施すと画像形成時の焦点制御に影響を及ぼすという不具合が起こり得る。従って、梨地加工は透明保護層の外側の面、即ちレーベル面の表面に施す構成を採用することが望ましい。レーベル面の表面に梨地加工を施すことにより焦点制御に与える影響を除去する改良をさらに加えることができる。
【実施例２】
【００１６】
第２図には本発明の第２の実施の形態に係る光ディスクの断面図が示されている。当該実施の形態は、梨地加工６が施された透明保護層４の表面に梨地加工６を覆う状態で、防眩効果低減加工７が施された透明被覆層５が設けられている。透明被覆層５に施された防眩効果低減加工７は透明保護層４に設けられた梨地加工６と勘合し、透明被覆層５と透明保護層４は一体となり一層の透明保護膜として機能する。これにより、透明保護層４の梨地加工６によるレーザ光線の散乱が無くなり、レーザ光線の正確な焦点制御が可能となる。
透明被覆層５の防眩効果低減加工７は透明保護層４の梨地加工６に物理的に勘合し、一体となるように構成する、あるいは梨地加工６と融和して一体となる得る適度な粘性を有する粘着材で構成することが可能である。
【実施例３】
【００１７】
第３図には本発明の第３の実施例の形態に係る光ディスクの断面図が示されている。第２図に示される光ディスクにレーザ光線を照射し、所望の文字図柄等をレーベル面に描画した後、透明被覆層５を透明保護層４から剥離する様子を示すものである。
レーベル面への所望の文字画像等の書き込みが終了した後、透明被覆層５を透明保護層４から除去する。透明被覆層５を除去することにより、透明保護層４の表面に形成されている梨地加工が露出することになり、反射層２からの強い反射光は梨地加工により散乱させられ和らげられる。この結果、レーベル面を目視した利用者に対して眩惑効果が発生することがない。当実施の形態では、透明保護層４が透明被覆層５により覆われた状態でレーベル層への描画を行うため正確な焦点制御が可能であり、その後、当該光ディスクから透明被覆層５を除去し、透明保護層４の表面に設けられた梨地加工を通して文字図柄等を見ることにより柔らかな視覚を得ることが可能となる。
透明被覆層５を透明保護層４から除去する際の除去動作を助けるため、透明被覆層５の内周部あるいは外周部に補助手段としてフラップなど設けることが可能である。第３図（ｂ）はフラップ９を透明被覆層５の外周部に設けた例が示されている。ユーザはこのフラップを用いて透明被覆層を簡単に剥離できる。
【００１８】
また、梨地加工のしぼの大きさは画像の解像度、またはピクセルサイズを考慮して決める。データ上の解像度を１００μｍ程度とし、装置が達成可能な解像度を１０μｍ程度とすると、梨地加工として１０〜１００μｍ程度のしぼが形成されることが望ましい。
【図面の簡単な説明】
【００１９】
【図１】本発明に係る光ディスクの第１の実施の態様を示す図
【図２】本発明に係る光ディスクの第２の実施の態様を示す図
【図３】本発明に係る光ディスクの第３の実施の態様を示す図
【図１】
2006277856.tif 000003
【図２】
2006277856.tif 000004
【図３】
2006277856.tif 000005